(57)【要約】【課題】ユーザーに空気調和機が動作していないと認識させつつ、乾燥運転を実施することができる空気調和機を提供する。【解決手段】空気調和機は、空気を送出する送風機と、前記送風機によって、空気が吹き出される吹出口を有する室内機本体と、前記吹出口から吹き出される空気を加熱または冷却する熱交換器と、前記吹出口を開閉し、前記吹出口から吹き出される空気の向きを変更する導風板と、前記送風機、前記熱交換器、前記導風板を制御する制御部と、を備え、前記制御部は、前記熱交換器を加熱し、前記室内機本体内部を乾燥させる乾燥運転を開始する際に、前記送風機を停止するとともに、前記吹出口を閉じるように前記導風板を制御する。【選択図】図３
2020201026.tif 000002
【特許請求の範囲】
【請求項１】
空気を送出する送風機と、
前記送風機によって、空気が吹き出される吹出口を有する室内機本体と、
前記吹出口から吹き出される空気を加熱または冷却する熱交換器と、
前記吹出口を開閉し、前記吹出口から吹き出される空気の向きを変更する導風板と、
前記送風機、前記熱交換器、前記導風板を制御する制御部と、を備え、
前記制御部は、前記熱交換器を加熱し、前記室内機本体内部を乾燥させる乾燥運転を開始する際に、前記送風機を停止するとともに、前記吹出口を閉じるように前記導風板を制御する、空気調和機。
【請求項２】
イオンを発生させるイオン発生機を前記室内機本体内部かつ前記吹出口の近傍に備え、前記イオン発生機は、前記乾燥運転の際に、駆動される、請求項１に記載の空気調和機。
【請求項３】
前記制御部は、前記空気調和機の運転停止情報に基づいて、前記乾燥運転を開始する、請求項１または２に記載の空気調和機。
【請求項４】
前記制御部は、前記乾燥運転の際に、前記熱交換器を断続的に加熱する、請求項１〜３のいずれか1項に記載の空気調和機。
【請求項５】
さらに人を検知する人検知部を備え、
前記制御部は、前記乾燥運転の際に、前記人検知部が人を検知しない場合、前記吹出口を開くように前記導風板を制御する、請求項１〜４のいずれか1項に記載の空気調和機。
【請求項６】
さらに人を検知する人検知部を備え、
前記制御部は、前記乾燥運転の際に、前記人検知部が人を検知しない場合、前記送風機を制御する、請求項１〜５のいずれか1項に記載の空気調和機。
【発明の詳細な説明】
【技術分野】
【０００１】
本発明は、空気調和機に関する。
【背景技術】
【０００２】
例えば、特許文献１には、空気調和機の内部を乾燥させ、カビ、細菌等の発生を抑制するために乾燥運転を行う空気調和機が開示されている。
【先行技術文献】
【特許文献】
【０００３】
【特許文献１】特開２００３−１５６２４５号公報
【発明の概要】
【発明が解決しようとする課題】
【０００４】
しかしながら、引用文献１に記載の空気調和機においては、例えば、停止指示を受け付けた場合に、室内熱交換器を停止し、室内送風機を運転する乾燥運転が開始される。この場合、ユーザーは、空気調和機に運転停止を指示したにも関わらず、室内送風機が起動しているため、空気調和機が動作していると認識してしまう場合があり得る。そこで、本発明の一形態は、例えば、ユーザーに空気調和機が動作していないと認識させつつ、乾燥運転を実施することができる空気調和機を提供することにある。
【課題を解決するための手段】
【０００５】
本発明の一形態の空気調和機は、空気を送出する送風機と、前記送風機によって、空気が吹き出される吹出口を有する室内機本体と、前記吹出口から吹き出される空気を加熱または冷却する熱交換器と、前記吹出口を開閉し、前記吹出口から吹き出される空気の向きを変更する導風板と、前記送風機、前記熱交換器、前記導風板を制御する制御部と、を備え、前記制御部は、前記熱交換器を加熱し、前記室内機本体内部を乾燥させる乾燥運転を開始する際に、前記送風機を停止するとともに、前記吹出口を閉じるように前記導風板を制御する。
【図面の簡単な説明】
【０００６】
【図１】第１の実施形態に係る空気調和機の室内機の断面図である。
【図２】第１の実施形態に係る空気調和機の制御部を中心としたブロック図である。
【図３】第１の実施形態に係る空気調和機の制御部の機能的構成の一例を示す図である。
【図４】第１の実施形態に係る空気調和機のフローの一例を示す図である。
【図５】乾燥運転のフローの一例を示す図である。
【発明を実施するための形態】
【０００７】
以下、本発明の実施形態について、図面を参照しつつ説明する。なお、図面については、同一又は同等の要素には同一の符号を付し、重複する説明は省略する。
【０００８】
（第１の実施形態）
本実施形態の空気調和機は、例えば、室内機と室外機とを含むセパレート型である。図１は、本実施形態の空気調和機の室内機の一例を示す断面である。
【０００９】
図１に示すように、室内機は、上面に設けられた吸込口１１１、下面に設けられた吹出口１１２を有する室内機本体１１０を備える。
【００１０】
室内機本体１１０の内部には、吸込口１１１から吹出口１１２に至る空気通路が形成されている。さらに、空気通路には、室内送風機１１４および室内熱交換器１１５が配置されている。室内送風機１１４が駆動することにより、吸込口１１１から吸い込まれた空気が、室内熱交換器１１５で熱交換され、吹出口１１２から吹き出される。
【００１１】
吸込口１１１には、図示しないフィルタ等が設けられている。このフィルタ等により、室内機本体１１０に吸い込まれた空気に含まれる塵や埃が除去される。
【００１２】
吹出口１１２には、導風板１１３が設けられている。さらに、室内機本体１１０の内部かつ吹出口１１２の近傍にイオン発生器１１６が設けられている。導風板１１３は、吹出口１１２を開閉するとともに、吹出口１１２から吹き出される空気の方向が変更する。イオン発生器１１６は、イオンを発生させる。イオン発生器１１６で発生されたイオンを吹出し口１１２から吹き出される空気に含ませることにより、室内の空気を清浄化することができる。
【００１３】
なお、空気調和機の図示しない室外機は、例えば、室内機と配管および配線により接続される。室外機は、圧縮機、四方弁、室外熱交換器、膨張弁、室外送風機を備える。圧縮機、四方弁、室外熱交換器、膨張弁、室内熱交換器１１５等により、冷凍サイクルが形成されている。この冷凍サイクルは、例えば、圧縮機が駆動されることにより、運転される。
【００１４】
室内熱交換器１１５は、冷凍サイクルが運転されることにより、加熱または冷却され、空気と熱交換する。そして、空気調和機は、室内熱交換器１１５による熱交換により、空気の温度が調節される冷房運転または暖房運転、湿度が調節される除湿運転のいずれかの空気調和運転を行う。
【００１５】
図２は、上記空気調和機の制御部２００を中心とした主な構成の一例を示す図である。図２に示すように、空気調和機は、例えば、制御部２００、記憶部２０１、通信部２０２、導風板１１３、室内送風機１１４、室内熱交換器１１５、イオン発生器１１６、タイマー２０３等を含む。制御部２００は、例えばＣＰＵ、ＭＰＵ等であって、記憶部１１１に格納されるプログラムに従って各種の情報処理を実行する。記憶部１１１は、例えばフラッシュメモリやＲＡＭ等であって、制御部２００によって実行されるプログラムや、各種のデータを保持する。また、記憶部２０１は、制御部２００のワークメモリとしても動作する。通信部２０２は、インターフェース等であって、直接またはネットワークを介して、例えばリモコン２１０等の操作機器と通信する。具体的には、通信部２０２は、例えば操作機器からの運転指示や停止指示を受信する。この操作機器は、スマートホン、タブレット、ＰＣなどであってもよい。また、タイマー２０３は、時間を計測する。さらに、制御部２００は、上記の各部の他に、例えば室外送風機、室外熱交換器、圧縮機等のそれぞれに接続され、各部を制御する。
【００１６】
例えば、ユーザーが、リモコン２１０を操作して、空気調和機に各種の指示を行うことにより、空気調和機では、冷房運転、除湿運転、暖房運転、送風運転等の所定の運転モードが実行される。
【００１７】
空気調和機において、例えば、冷房運転または除湿運転が実行されると、室内熱交換器１１５が冷却されるため、室内熱交換器１１５、室内機本体１１０の内部等に結露が生じ得る。この結露を放置すると、カビ等が発生する可能性がある。そのため、空気調和機は、室内熱交換器１１５、室内機本体１１０の内部等を乾燥させる乾燥運転を行う。本実施形態における乾燥運転は、例えば、室内熱交換器１１５を加熱することにより行う。
【００１８】
図３は、図２に示す空気調和機における制御部の機能的構成の一例を示す図である。図３に示すように、本実施形態に係る制御部２００は、例えば、停止情報取得部３０１、運転状態取得部３０２、運転制御部３０３を含む。
【００１９】
停止情報取得部３０１は、例えば、空気調和機における運転の停止を指示する停止情報を取得する。この停止情報は、例えば、ユーザーがリモコン２１０の停止ボタンを操作することにより、リモコン２１０から送信される。停止情報は、リモコン２１０から送信されるものに限らず、例えば、就寝時などに運転を停止する時間が設定される切タイマーによる停止情報であってもよい。
【００２０】
運転状態取得部３０２は、例えば、停止情報に基づいて、空気調和機における運転状態を表す運転状態情報を取得する。この運転状態は、例えば、冷房運転、除湿運転、暖房運転等を表す。
【００２１】
運転制御部３０３は、例えば、上記停止情報および上記運転状態情報に基づいて、乾燥運転を行う。より具体的には、運転制御部３０３は、例えば、運転状態情報が冷房運転または除湿運転を表す情報である場合、室内熱交換器１１５を加熱し、室内機本体１１０内部を乾燥させる乾燥運転を開始する。この乾燥運転を開始する際、運転制御部３０３は、室内送風機１１４を停止するとともに、導風板１１３を吹出口１１２を閉じるように制御する。そして、乾燥運転の終了後、空気調和機は停止する。一方、運転状態情報が、暖房運転の場合、運転制御部３０３は、例えば、室内熱交換器１１５を停止し、室内送風機１１４を停止するとともに、導風板１１３を吹出口１１２を閉じるように制御し、空気調和機を停止させる。
【００２２】
次に、本実施形態の空気調和機における処理のフローの一例について説明する。図４は、本実施形態における空気調和機の処理のフローの一例を示す図である。
【００２３】
図４に示すように、停止情報取得部３０１は、空気調和機における運転の停止を指示する停止情報を取得する（Ｓ１０１）。運転状態取得部３０２は、停止情報に基づいて、空気調和機における運転状態を表す運転状態情報を取得する（Ｓ１０２）。運転制御部３０３は、運転状態情報に基づいて、空気調和機の運転状態が冷房運転または除湿運転であるか否かを判定する（Ｓ１０３）。運転制御部３０３は、冷房運転または除湿運転であると判定した場合（Ｓ１０３でＹＥＳ）、室内熱交換器１１５を加熱し、室内機本体１１０内部を乾燥させる乾燥運転を開始する（Ｓ１０４）。また、運転制御部３０３は、乾燥運転が終了すると、空気調和機を停止する（Ｓ１０５）。また、Ｓ１０３において、運転制御部３０３は、冷房運転または除湿運転以外、例えば暖房運転、送風運転等であると判定した場合（Ｓ１０３でＮＯ）、空気調和機を停止する（Ｓ１０５）。
【００２４】
次いで、乾燥運転の詳細について説明する。図５は、乾燥運転のフローの一例を示す図である。
【００２５】
図５に示すように、乾燥運転において、運転制御部３０３は、導風板１１３を制御して、吹出口１１２を閉じる（Ｓ２０１）。そして、運転制御部３０３は、室内送風機１１４を停止する（Ｓ２０２）。さらに、運転制御部３０３は、室内熱交換器１１５を加熱する（Ｓ２０３）。なお、上記Ｓ２０１とＳ２０２とＳ２０３の順番は、特に限定されるものでなく、入れ替えてもよいし、同時であってもよい。また、乾燥運転は、例えば、予め実験等により決められた室内機本体１１０の内部が乾燥する所定時間が経過した場合、あるいは、例えば、室内熱交換器１１５の近傍に湿度センサ等を設けて、所定の湿度以下になった場合等に、終了する。
【００２６】
本実施形態によれば、乾燥運転の開始時に、導風板１１３が吹出口１１２を閉じるため、空気調和機は外見上運転していないようにユーザーには見える。さらに、室内送風機１１４も停止しているため、空気調和機の運転音はほぼ生じておらず、ユーザーに空気調和機が停止しているように感じさせることができる。そのため、ユーザーの指示に従って空気調和機が停止していると感じさせつつ、乾燥運転を実施することができる。
【００２７】
また、上記乾燥運転時に、イオン発生器１１６を駆動させてもよい。乾燥運転においては、室内熱交換器１１５が加熱されるため、室内機本体１１０において空気の対流が生じる。イオン発生器１１６から発生したイオンは、この空気の対流に巻き込まれ、室内機本体１１０の内部に拡散される。そのため、室内機本体１１０の内部に配置された室内熱交換器１１５、室内送風機１１４等の各部を、イオンにより殺菌することができる。特に、イオン発生機１１６は、室内機本体１１０内部かつ吹出口１１２の近傍、そして、室内熱交換器１１５の下方に設けることが好ましい。この配置により、イオン発生機１１６から発生したイオンは室内熱交換器１１５の熱により生じる上昇気流に乗り、室内機本体１１０の内部により拡散させやすくすることができる。
【００２８】
さらに、上記乾燥運転時に、室内熱交換器１１５を断続的に加熱するようにしてもよい。これにより、室内機本体１１０の内部における過度な加熱を抑制することができ、室内の温度が上昇することを抑制することができる。
【００２９】
さらにまた、空気調和機は、室内の人を検知する人感センサを備えていてもよい。そして、人感センサで人が検知された場合、上記の乾燥運転を行う。一方、人感センサで人が検知されない場合、例えば、導風板１１３を開く、室内送風機１１４を駆動させる等の少なくとも１つの動作により、より室内機本体１１０の内部を乾燥させるように構成してもよい。これにより、人がいない場合には、効率的に室内機本体１１０の内部を乾燥させることができる。
【００３０】
なお、上記では、空気調和機が停止される際に、乾燥運転が実施される例を示したが、これに限らず、例えば、空気調和機が停止している状態で、乾燥運転が実施されるように構成してもよい。
【００３１】
本発明は、上記実施の形態に限定されるものではなく、上記実施の形態で示した構成と実質的に同一の構成、同一の作用効果を奏する構成又は同一の目的を達成することができる構成で置き換えてもよい。
【符号の説明】
【００３２】
１１０  室内機本体、１１１  吸込口、１１２  吹出口、１１３  導風板、１１４  室内送風機、１１５  室内熱交換器、１１６  イオン発生機、２００  制御部、２０１  記憶部、２０２  通信部、２０３  タイマー、２１０  リモコン、３０１  停止情報取得部、３０２  運転状態取得部、３０３  運転制御部
【図１】
2020201026.tif 000003
【図２】
2020201026.tif 000004
【図３】
2020201026.tif 000005
【図４】
2020201026.tif 000006
【図５】
2020201026.tif 000007